(57)【要約】【課題】夜間暗い場所での作業等に便利な照明装置であって、従来照明本体とこれから取り外しできる脚部を備えたものが提供されていた。従来の照明装置は、脚部のホルダに対する照明本体の保持が単にホルダの弾性力を利用するものであったので、不用意に外れるおそれがあった。本発明では、一旦取り付けた状態では照明本体に脚部が不用意に離脱することがないようにする。【解決手段】円環形のホルダ部２１の内周側に照明本体１１を進入させると、照明本体１１に設けたフック部１６でホルダ部２１が挟み込まれるとともに、フック部１６の係合凹部１６ａにホルダ部２１の係合凸部２１ａが凹凸嵌合して照明本体１０が不用意に外れない構成とする。【選択図】図５
2010027276.tif 000002
【特許請求の範囲】
【請求項１】
引き掛け用のフック部を有する照明本体と、該照明本体に脱着可能に取り付けられて該照明本体を保持する脚部を備えた照明装置であって、
前記脚部は、前記照明本体に対するホルダ部を有し、該ホルダ部はＣ字形若しくは円環形状を有して、その内周側に前記照明本体を進入させると、該照明本体と前記フック部との間に前記ホルダ部が挟み込まれるとともに、該フック部と前記ホルダ部の一方に設けた係合凸部が他方に設けた係合凹部に凹凸嵌合して、前記照明本体の前記ホルダ部に対する取り外し方向の相対変位が規制される構成とした照明装置。
【請求項２】
請求項１記載の照明装置であって、照明本体は、本体ケースの側部に滑り止め用のゴムシートを被覆してグリップ部としての機能を備えて前記脚部から取り外して単独で使用可能であるとともに、前記グリップ部に前記ホルダ部を挟み付けて当該照明本体を前記脚部に保持する構成とした照明装置。
【請求項３】
滑り止めがなされたグリップ部と、他部位に引き掛けるためのフック部を備えた照明装置であって、前記他部位を前記フック部で挟み込んで該他部位に保持可能であり、かつ前記フック部と前記他部位の一方に設けた係合凸部と他方に設けた係合凹部との凹凸係合により前記フック部による挟み込み状態を保持する構成とした照明装置。
【発明の詳細な説明】
【技術分野】
【０００１】
この発明は、例えば電動工具を用いて各種の作業を夜間あるいは暗所で行う場合に、作業部位を明るく照らす照明装置であって、比較的小型であるため任意の場所に手軽に持ち運んで用いることができる照明装置に関する。
【背景技術】
【０００２】
従来、例えば下記の特許文献に、この種の照明装置に関する技術が開示されている。この従来の照明装置は、電球等の発光部を備えた照明本体と、これを任意の部位に向けた姿勢で保持する１本の脚部を備えている。脚部は、照明本体を手に持って単独で使用する場合の便宜を図るために取り外すことができるようになっている。照明本体に脚部を取り付ければ、任意の場所に設置しておくことができるので、使用者は作業部位を照明本体で明るく照らしながら作業をすることができる。
脚部は、任意の形状に変形させることができるフレキシブルなもので、その一端側に半円筒形のホルダ部を備えている。このホルダ部をその弾性力を利用して、概ね円柱体形状を有する照明本体に挟み付けることで当該照明本体に脚部を取り付けることができる。
【特許文献１】米国特許第３６８８３号公報
【発明の開示】
【発明が解決しようとする課題】
【０００３】
このように手に持って単独でも使用できる照明本体に簡単に脚部を取り付けて任意の場所に設置して使用することができることから、当該照明装置を様々な場面で便利に使用することができるが、さらに改良を加える点もあった。
この従来の照明装置によれば、円柱体形状を有する照明本体に対して、半円筒形を有するホルダ部をその弾性力を利用して保持する構成であったので、簡単に取り付け、取り外しできる反面、持ち運び時等に照明本体からホルダ部が不用意に外れてしまうおそれもあった。
本発明は、照明本体に対して脚部を簡単に取り付け、取り外しできる使い勝手のよさを損なうことなく、一旦取り付けた状態では当該脚部が不用意に外れてしまうことのないよう、取り付け状態が従来よりも安定して維持されるようにすることを目的とする。
【課題を解決するための手段】
【０００４】
このため、本発明は、特許請求の範囲の各請求項に記載した構成の照明装置とした。
請求項１記載の照明装置によれば、照明本体をホルダ部の内周側に進入させると、フック部によってこのホルダ部が挟み込まれて、照明本体に対してホルダ部が保持され、従って照明本体に脚部が取り付けられた状態となる。フック部とホルダ部の一方には係合凸部が設けられ、他方にはこの係合凸部が嵌り込む係合凹部が設けられている。このため、ホルダ部がフック部と照明本体との間に挟み込まれると、係合凸部が係合凹部に嵌り込んで（凹凸係合して）、照明本体のホルダ部からの取り外し方向の離脱が規制される。
このように請求項１記載の照明装置によれば、照明本体に対してホルダ部がフックによる挟み込みに加えて係合凸部と係合凹部の凹凸係合によっても保持されることから、照明本体に対する脚部の取り付け状態が従来のホルダの単に弾性力を利用して保持する構成よりも安定して維持される。
請求項２記載の照明装置によれば、滑り止めがなされたグリップ部を有する照明本体を脚部から取り外して単独で使用することができる。照明本体を脚部に取り付けて利用する場合には、ホルダ部が照明本体の滑り止め機能により保持されることから照明本体の脚部に対する取り付け状態がより一層確実に維持されて不用意な離脱を防止することができる。
請求項３記載の照明装置によれば、前記脚部に相当する部材とは切り離して照明本体を単独で用いる場合には当該照明本体を照明装置と捕らえることができ、この場合であってもフック部による挟み込み及びこれに設けた係合凸部若しくは係合凹部の凹凸係合により当該照明装置を従来よりも確実に他部位へ保持しておくことができる。
【発明を実施するための最良の形態】
【０００５】
次に、本発明の実施形態を図１〜図１６に基づいて説明する。図１及び図２は、本実施形態に係る照明装置１の全体を示している。この照明装置１は、照明本体１０と、脚部２０を備えている。
照明本体１０は、図９及び図１５に示すように断面長円形の筒体を有する本体ケース１１を備えている。本体ケース１１の前部には前部ケース１２が脱着可能に取り付けられている。本体ケース１１の前部に照明具（光源）としてＬＥＤ（発光ダイオード）１４が装着されている。ＬＥＤ１４の前方は、透明カバー１５で覆われている。この透明カバー１５は、本体ケース１１から前部ケース１２を取り外すと取り外すことができる。本体ケース１１から前部ケース１２と透明カバー１５を取り外せば、ＬＥＤ１４が実装された基板１４ａ及び反射板１４ｂを本体ケース１１から取り外すことができる。
本体ケース１１の後部には、充電式のバッテリ１３が装着されている。このバッテリ１３は、本体ケース１１から取り外して別途用意した充電器で充電することができる。図７及び図９に示すようにこのバッテリ１３は、取り付けボタン１３ａ，１３ａを指先で押し込めば、爪部１３ｂ，１３ｂを本体ケース１１の後部から外すことにより取り外すことができる。このバッテリ１３は、本体ケース１１の後部に挿入して、爪部１３ｂ，１３ｂを本体ケース１１の後部内面に係合させれば装着が完了する。
本体ケース１１の左右側部には、エラストマを素材とするゴムシート１１ａ，１１ａが被覆されている。当該照明本体１０から脚部２０を取り外して当該照明本体１０を単独で使用する場合には、本体ケース１１が使用者が把持するグリップ部として機能する。ゴムシート１１ａ，１１ａは、グリップ部として把持する際の滑り止めとして機能する。
本体ケース１１の前部にはフック部１６が設けられている。このフック部１６は、本体ケース１１の背面（図７において下面側）に沿って後方（図７において右方）に延びている。このフック部１６の先端部には矩形の係合凹部１６ａがその板厚方向に貫通して設けられている。フック部１６の先端部１６ｂは照明本体１０から離間する方向に適度な角度で屈曲している。
【０００６】
脚部２０は、ホルダ部２１と２本の自在脚２２，２２を備えている。ホルダ部２１は、図５に示すように一定幅の帯板材がＣ字形に湾曲した形状を有するもので、その開閉方向に適度な弾性を有しており、その内周側に照明本体１０が挿入される。図１０に示すようにホルダ部２１の内周側に照明本体１０をその後部側（バッテリ１３側）から挿入すると、当該ホルダ部２１が照明本体１０の長手方向中程であって、左右のゴムシート１１ａ，１１ａを側方から挟み込んで保持することとなる位置で当該照明本体１０がホルダ部２１に固定される。この位置で、ゴムシート１１ａ，１１ａの滑り止め機能（摩擦抵抗）によって、ホルダ部２１が照明本体１０に固定される。また、ホルダ部２１の弾性力によっても当該ホルダ部２１が照明本体１０に保持される。
さらに、ホルダ部２１に対して照明本体１０をその後部側から挿入すると、当該ホルダ部２１の中央部がフック部１６と当該照明本体１０との間に弾性的に挟み込まれる。ホルダ部２１の中央部の背面（図５において下面）には、係合凸部２１ａが設けられている。この係合凸部２１ａは、図４に示すように照明本体１０のフック部１６の係合凹部１６ａに大きな隙間（がたつき）を生ずることなく嵌り込み可能な矩形に形成されている。このため、フック部１６による挟み込み状態のまま、上記ゴムシート１１ａ，１１ａの摩擦抵抗によりホルダ部２１が固定される位置まで照明本体１０を更にホルダ部２１の内周側に進入させると、フック部１６の係合凹部１６ａ内にホルダ２１の係合凸部２１ａが弾性的に嵌り込む。係合凹部１６ａ内に係合凸部２１ａが嵌り込むことにより、ホルダ部２１に対する照明本体１０の抜け出し方向（取り外し方向）の変位が規制された状態となる。
【０００７】
ホルダ部２１の背面であって係合凸部２１ａの両側に、２本の自在脚２２，２２が支持されている。両自在脚２２，２２は同様に構成されている。この自在脚２２の詳細が図１０に示されている。この自在脚２２は、多数のジョイント２４〜２４を相互に連結して任意の方向に自在に変形可能な１本の棒形構造を有している。相互に連結されたジョイント２４〜２４の周囲は、伸縮自在な蛇腹形式のカバー２３で覆われている。
１つのジョイント２４が図１１〜図１４に示されている。このジョイント２４は、受け部２４ａと結合部２４ｂを有している。受け部２４ａは半球形を有し、その内周には同じく半球形の結合凹部２４ｃが形成されている。図１４に示すようにこの結合凹部２４ｃの口元内周には、係合凸部２４ｄが全周にわたって形成されている。この結合凸部２４ｄの内径は、結合部２４ｂの外径よりも僅かに小さい寸法に設定されている。結合凹部２４ｃの底部には、矩形のストッパ突起部２４ｅが形成されている。
結合部２４ｂは、全球体の約１／４程度の範囲を欠落させた不完全球体形状を有するもので、その欠落側端部には、図１３に示すように円形孔の凹部２４ｆがくり抜かれた状態に設けられている。この凹部２４ｆが形成されることによって当該結合部２４ｂには適度な弾性変形が許容されるようになっている。
このように形成された１つのジョイント２４の結合部２４ｂが、隣接するジョイント２４の受け部２４ａの結合凹部２４ｃ内に嵌り込んで、多数のジョイント２４〜２４が相互に連結されている。相互に隣接する一方のジョイント２４の結合部２４ｂは、他方のジョイント２４の受け部２４ａを僅かに弾性変形させて結合凹部２４ｃ内に嵌り込んでいる。結合部２４ｂが結合凹部２４ｃ内に嵌り込んだ状態では、結合部２４ｂの凹部２４ｆ内に、受け部２４ａのストッパ突起部２４ｅが進入した状態となる。このストッパ突起部２４ｅが凹部２４ｆ内で相対変位可能な範囲で、結合部２４ｂが受け部２４ａの結合凹部２４ｃ内で任意の方向に摺動可能であり、これにより相互に連結された２つのジョイント２４，２４が相互に任意の方向に折れ曲がり可能に連結されている。
【０００８】
各ジョイント２４は、成形型を用いた樹脂の一体成形によって形成されている。各ジョイント２４の結合部２４ｂの周面であって、成形型のパーティングラインＬに沿った一定幅の範囲が僅かに欠落されて平坦面（以下、面カット部２４ｇ，２４ｇと言う）に形成されている。この平坦面に欠落された面カット部２４ｇ，２４ｇの範囲が図１３及び図１４において符号Ｄを付した矢印で示されている。この面カット部２４ｇ，２４ｇは、当該結合部２４ｂが隣接するジョイント２４の受け部２４ａの結合凹部２４ｃ内に嵌り込んだ結合状態において、当該結合凹部２４ｃの内壁面との間に隙間が発生して接触することがない。
このため、各ジョイント２４の成形時においてパーティングラインＬに沿って僅かなバリが発生した場合であっても、これが上記隙間の範囲内に収まる限り結合凹部２４ｃの内壁面に干渉（接触）することがないので、当該バリを除去等することなくそのままにしておいても、当該バリが結合凹部２４ｃ内における結合部２４ｂの摺動性を阻害する原因になることがなく、従って当該脚部２２のフレキシビリティ（可撓性）が確保されるようになっている。このことから、ジョイント２４の製作にあたってバリ取り等の仕上げ作業の手間を省くことができる。
また、本実施形態の場合、結合部２４ｂの周面であって結合凹部２４ｃに対する摺動面（締め代）には、いわゆるシボ加工が施されている。このシボ加工を施した範囲が図１２において斜線を付して示されている。各ジョイント２４の結合部２４ｂについてシボ加工を施すことにより当該結合部２４ｂの結合凹部２４ｃに対する面当たり状態を低減できることから、適度な摺動抵抗を維持しつつジョイント２４，２４相互間の変位時（自在脚２２の変形時）における異音の発生をなくすことができる。
本実施形態の場合、図１０に示すように片側の自在脚２２について１５個のジョイント２４〜２４が相互に連結されている。１５個のジョイント２４〜２４が連結されてなる自在脚２２の一端側（結合部２４ｂ）がホルダ部２１の背面に設けた半球形の支持部２１ｂに結合されている。この支持部２１ｂには、各ジョイント２４の受け部２４ａと同様その口元内周に係合凸部が全周にわたって形成され、またその底部にはストッパ凸部が設けられている。この支持部２１ｂの口元外周側にカバー２３の一端側が取り付けられている。
自在脚２２の他端側（受け部２４ａ）には、先端が半球形に形成された脚端部材２５が取り付けられている。この脚端部材２５には、各ジョイント２４の結合部２４ｂに相当する結合部２５ａが設けられている。この結合部２５ａが先端側のジョイント２４の受け部２４ａに嵌め込まれて、当該脚端部材２５が自在脚２２の先端に取り付けれている。この脚端部材２５の外周側にカバー２３の他端側が取り付けられている。１５個のジョイント２４〜２４は、全てのこのカバー２３で覆われている。
【０００９】
このように２本の自在脚２２，２２がホルダ部２１の背面から延びている。この２本の自在脚２２，２２は、それぞれ任意の方向に湾曲させて折り曲げれば、この折り曲げ状態が保持される。図１では、２本の自在脚２２，２２をＵ字形に湾曲させて、当該脚部２０が照明本体１０を例えば作業台上に支持するためのスタンドとして機能する状態が示されている。この場合、照明本体１０の高さを自在に調整することができる。また、図示は省略したが２本の自在脚２２，２２を対称に湾曲させて例えば柱に巻き付けることにより、照明本体１０を柱に保持することができる。
次に、前記した前部ケース１２は、特別の工具を用いることなく、本体ケース１１に対して取り付け、取り外しできるようになっている。図１６に示すように長円形の枠体をなす前部ケース１２の内周面には、係合凹部１２ａがその全周にわたって形成されている。この係合凹部１２ａに対応して本体ケース１１の前部外周には係合凸部１１ｂが全周にわたって形成されている。前部ケース１２を、その内周側に本体ケース１１の前部を進入させて押し込むと、係合凹部１２ａ内に係合凸部１１ｂが弾性変形しつつ嵌り込んで相互に係合されることにより当該前部ケース１２が本体ケース１１の前部に取り付けられる。逆に、この前部ケース１２を取り外す際には、係合凹部１２ａから係合凸部１１ｂを弾性変形させつつ前部ケース１２を前方へ引き抜くことにより簡単に取り外すことができる。
このように前部ケース１２は、本体ケース１１との間で係合凸部１１ｂと係合凹部１２ａとの弾性係合状態を利用して簡単に取り付け、取り外しできる構成であるので、ねじ止めする場合のねじ孔を設ける必要がなく、またドライバ等の工具を用いて取り付け、取り外しする手間を掛ける必要がない。
透明カバー１５はその周縁部を、前部ケース１２と本体ケース１１との間に挟まれて固定されていることから、前部ケース１２を本体ケース１１から取り外せば、この透明カバー１５も簡単に取り外すことができる。透明カバー１５を取り外せば、ＬＥＤ１４を搭載した基板１４ａを反射板１４ｂとともに本体ケース１１から取り外すことができる。
【００１０】
以上のように構成した本実施形態の照明装置１によれば、図５〜図７に示すように照明本体１０をホルダ部２１の内周側に相対的に進入させれば、フック部１６によってこのホルダ部２１の中央部が挟み込まれて保持されることにより、当該照明本体１０に脚部２０が取り付けられた状態となる。図１〜図４、図８及び図９はこの取り付け状態を示している。しかも、フック部１６の係合凹部１６ａにホルダ部２１の係合凸部２１ａが弾性的に凹凸係合して照明本体１０のホルダ部２１からの取り外し方向の離脱が規制された状態となるため、当該照明本体１０に対する脚部２０の取り付け状態が確実に維持される。
このように本実施形態の照明装置１によれば、照明本体１０に対してホルダ部２１がフック１６による挟み込みに加えて係合凸部２１ａと係合凹部１６ａの凹凸係合によっても保持されることから、照明本体１０に対する脚部２０の取り付け状態が従来の単に弾性力を利用して保持する構成よりも安定して維持される。
また、本実施形態の場合、ホルダ部２１が照明本体１０のゴムシート１１ａ，１１ａを両側から挟み込む状態に取り付けられることから、当該ゴムシート１１ａ，１１ａの滑り止め機能（摩擦抵抗）によっても照明本体１０に対する脚部２０の取り付け状態が従来よりも確実に維持される。
さらに、本実施形態の場合、脚部２０を構成する各ジョイント２４について結合部２４ｂのパーティングラインＬに沿って面カット部２４ｇを設けた構成としたことにより、当該ジョイント２４の製作段階においてバリ取りの仕上げ作業を省略若しくは簡略化することができることから当該照明装置１の製作コストの低減を図ることができる。
また、各ジョイント２４の結合部２４ｂについてシボ加工を施す構成としたことにより、脚部２０の両自在脚２２を変形させる際の異音の発生を防止でき、これにより当該照明装置１の使い勝手（商品価値）をよくすることができる。
【００１１】
以上説明した実施形態には種々変更を加えることができる。例えばＬＥＤを照明具（光源）として用いた照明本体１０を例示したが、電球を光源とする場合についても同様に適用することができる。
また、任意に変形可能なフレキシブルな自在脚を有する脚部を例示したが、フレキシブルではない固定された固定脚を有する脚部についても同様に適用することができる。
さらに、照明本体１０と脚部２０との組み合わせで用いる場合を例示したが、当該照明本体１０を単独で用いる場合においても、フック部１６の係合凹部１６ａに嵌り込む係合凸部を備えた他部位、例えば棚板や仕切板等の端部に対してより確実に保持することができる。
フック部１６の係合凹部１６ａとして貫通する係合孔を例示したが、当該フック部１６の板厚方向に貫通しない有底の係合凹部としてもよい。
また、２本の自在脚２２，２２を備える脚部２０を例示したが、１本若しくは３本以上の自在脚を備える脚部としてもよい。
充電式のバッテリ１３を電源とする照明装置１を例示したが、市販の乾電池を電源とする照明装置、あるいは交流電源を電源とする照明装置であってもよい。
エラストマを素材とするゴムシート１１ａ，１１ａを例示したが、これに代えて滑り止め機能を有するその他の素材のものを本体ケースの側部に被覆する（貼り付ける）構成としてもよい。  また、滑り止め機能としてシート部材を貼り付ける構成に代えて、本体ケースの左右側部に滑り止め用の凹凸加工（ローレット目加工等）を施す構成としてもよい。
さらに、Ｃ字形に開いたホルダ部２１を例示したが、閉じた円環形のホルダを用いる構成としてもよい。
また、例示した構成とは逆に、フック部１６に係合凸部を設け、ホルダ２１側に係合凹部を設けて、相互に凹凸係合させる構成としてもよい。
【図面の簡単な説明】
【００１２】
【図１】本発明の実施形態に係る照明装置の全体斜視図である。
【図２】本発明の実施形態に係る照明装置の全体斜視図である。
【図３】本発明の実施形態に係る照明装置を図２中矢印（III）方向から見た図である。本図は、主として照明本体の上面図を示しており、脚部の先端側は省略されている。
【図４】本発明の実施形態に係る照明装置を図２中矢印（Ｖ）方向から見た図である。本図は、主として照明本体の下面図を示しており、脚部の先端側は省略されている。
【図５】本発明の実施形態に係る照明装置の斜視図である。本図は、照明本体と脚部が分離された状態を示している。
【図６】本発明の実施形態に係る照明装置の斜視図である。本図は、照明本体に対して脚部のホルダ部を嵌め付ける途中の段階であって、フック部と照明本体との間にホルダ部が進入し始めた段階を示している。
【図７】図６に示す段階と同じ段階における照明本体及びホルダ部の縦断面図である。
【図８】照明本体に対して脚部が完全に取り付けられた状態の照明装置の斜視図である。
【図９】照明本体に対して脚部が完全に取り付けられた状態の照明装置の縦断面図である。
【図１０】図９中(X)-(X)線断面矢視図であって、照明本体及び脚部の縦断面図である。本図では、両自在脚の内部が縦断面で示されている。
【図１１】ジョイントの斜視図である。
【図１２】ジョイントの斜視図である。本図では、結合部にシボ加工を施した範囲が斜線で示されている。
【図１３】ジョイントを、図１１中矢印(XIII)方向であって結合部側から見た図である。
【図１４】ジョイントの縦断面図である。
【図１５】脚部を取り付けた状態の照明本体の横断面図である。
【図１６】図１５の(XVI)部の拡大図であって、照明本体の前部の横断面図である。
【符号の説明】
【００１３】
１…照明装置
１０…照明本体
１１…本体ケース、１１ａ…ゴムシート、１１ｂ…係合凸部
１２…前部ケース、１２ａ…係合凹部
１３…バッテリ、１３ａ…取り付けボタン、１３ｂ…爪部
１４…ＬＥＤ（光源）、１４ａ…基板、１４ｂ…反射板
１５…透明カバー
１６…フック部、１６ａ…係合凹部、１６ｂ…先端部
２０…脚部
２１…ホルダ部、２１ａ…係合凸部、２１ｂ…支持部
２２…自在脚
２３…カバー
２４…ジョイント
２４ａ…受け部、２４ｂ…結合部、２４ｃ…結合凹部、２４ｄ…結合凸部
２４ｅ…ストッパ突起、２４ｆ…凹部、２４ｇ…面カット部
Ｌ…ジョイント２４のパーティングライン
２５…脚端部材、２５ａ…結合部
【図１】
2010027276.tif 000003
【図２】
2010027276.tif 000004
【図３】
2010027276.tif 000005
【図４】
2010027276.tif 000006
【図５】
2010027276.tif 000007
【図６】
2010027276.tif 000008
【図７】
2010027276.tif 000009
【図８】
2010027276.tif 000010
【図９】
2010027276.tif 000011
【図１０】
2010027276.tif 000012
【図１１】
2010027276.tif 000013
【図１２】
2010027276.tif 000014
【図１３】
2010027276.tif 000015
【図１４】
2010027276.tif 000016
【図１５】
2010027276.tif 000017
【図１６】
2010027276.tif 000018